(57)【要約】【課題】光源装置を効率よく冷却できるプロジェクターを提供すること。【解決手段】光源装置と、光源装置から出射された光を変調する光変調装置と、光変調装置により変調された光を投射する投射光学装置と、第１冷却気体を吸引して光源装置に送出する冷却ファンと、光源装置に電力を供給する光源駆動装置と、光源駆動装置を冷却した第２冷却気体が内部を流通する第１ダクトと、を備え、第１ダクトは、冷却ファンが配置される配置部を有し、冷却ファンは、第１冷却気体を吸引する吸気口が第１ダクトとは反対側を向くように配置部に配置されるプロジェクター。【選択図】図２
2017181714.tif 000002
【特許請求の範囲】
【請求項１】
光源装置と、
前記光源装置から出射された光を変調する光変調装置と、
前記光変調装置により変調された光を投射する投射光学装置と、
第１冷却気体を吸引して前記光源装置に送出する冷却ファンと、
前記光源装置に電力を供給する光源駆動装置と、
前記光源駆動装置を冷却した第２冷却気体が内部を流通する第１ダクトと、を備え、
前記第１ダクトは、前記冷却ファンが配置される配置部を有し、
前記冷却ファンは、前記第１冷却気体を吸引する吸気口が前記第１ダクトとは反対側を向くように前記配置部に配置されることを特徴とするプロジェクター。
【請求項２】
請求項１に記載のプロジェクターにおいて、
前記第１ダクトは、
前記第２冷却気体が流通するダクト形成部と、
前記ダクト形成部から起立する起立部と、を有し、
前記配置部は、前記起立部に位置することを特徴とするプロジェクター。
【請求項３】
請求項２に記載のプロジェクターにおいて、
前記冷却ファンは、前記ダクト形成部との間に所定の間隔を隔てて前記配置部に配置されることを特徴とするプロジェクター。
【請求項４】
請求項１から請求項３のいずれか一項に記載のプロジェクターにおいて、
前記第１ダクトは、それぞれ異なる面に位置するとともに、前記第２冷却気体を外部に排出する複数の排出口を有し、
前記複数の排出口のうち少なくとも１つの排出口を介して前記第１ダクトから排出される前記第２冷却気体は、所定の冷却対象に流通することを特徴とするプロジェクター。
【請求項５】
請求項４に記載のプロジェクターにおいて、
前記光源装置は、
発光管と、
前記発光管から出射された光を反射する凹曲面状の反射面を有する反射鏡と、
前記発光管及び前記反射鏡を収容する収容体と、を備え、
前記冷却ファンは、前記反射鏡の内側に位置する前記発光管を冷却する前記第１冷却気体を送出し、
前記少なくとも１つの排出口から排出された前記第２冷却気体は、前記反射鏡において前記反射面とは反対側を流通し、前記冷却対象としての前記発光管の端部を冷却することを特徴とするプロジェクター。
【請求項６】
請求項１から請求項５のいずれか一項に記載のプロジェクターにおいて、
外装を構成する外装筐体と、
前記外装筐体内に配置され、前記第１冷却気体及び前記第２冷却気体が流入される排気ダクトと、
前記排気ダクト内に流入された前記第１冷却気体及び前記第２冷却気体を、前記外装筐体外に排出する排気ファンと、を備えることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている（例えば、特許文献１参照）。
この特許文献１に記載のプロジェクターは、光源装置としてのランプを２つ備え、当該２つのランプは、ランプハウス内に配置されている。これら２つのランプの内側は、それぞれのランプに対応して設けられた内側冷却ファンにより冷却される。また、当該プロジェクターは、電源カバー内に供えられた電源基板及びバラスト基板を有する電源ユニットを備え、上記２つのランプは、バラスト基板からの電力供給を受けて点灯される。そして、当該プロジェクターには、電源カバーとランプハウスとを接続するバイパスダクトが設けられている。このバイパスダクトは、電源ユニットを冷却した冷却風を光源ユニットに導き、当該冷却風が外側冷却ファンにより引き込まれる冷却風と混合されてランプハウス内に流入されることにより、ランプの外側を流通する冷却風の流量が増加され、ランプの冷却効率が向上されている。
【先行技術文献】
【特許文献】
【０００３】
【特許文献１】特開２０１４−４８３５４号公報
【発明の概要】
【発明が解決しようとする課題】
【０００４】
ところで、ランプと、当該ランプに点灯電力（ランプ電力）を供給するバラストとは、配線の都合上、比較的近い位置に配置されることが好ましい。しかしながら、上記特許文献１に記載のプロジェクターでは、光源ユニットが配置される空間と、電源ユニットが配置される空間とが、隔壁によって区画されているため、このような配線が複雑化する他、これらのレイアウト自由度が制限されるという問題がある。
これに対し、上記隔壁を取り除いた場合、ランプに冷却気体を送出するランプファンが、バラストを冷却した冷却気体を吸引しやすくなる。この場合、ランプに送出される冷却風の温度が高くなり、当該ランプの冷却効率が低下するという問題がある。
【０００５】
また、上記特許文献１に記載のように、配線の都合上、バラストは、電源基板に比較的近い位置に配置されることが一般的であるが、電源基板を冷却した冷却気体が、バラストに流通して当該バラストを冷却する構成であると、バラストを冷却する冷却気体の温度は、プロジェクターの駆動状態に応じた電源基板及びバラストのそれぞれの温度によっても変化してしまう。このため、このような冷却気体によって主にランプが冷却されると、当該冷却気体の温度が高くなったり低くなったりするため、ランプの温度管理を適切に実施しづらいという問題がある。
【０００６】
本発明は、上記課題の少なくとも一部を解決することを目的としたものであり、光源装置を効率よく冷却できるプロジェクターを提供することを目的の１つとする。
【課題を解決するための手段】
【０００７】
本発明の一態様に係るプロジェクターは、光源装置と、前記光源装置から出射された光を変調する光変調装置と、前記光変調装置により変調された光を投射する投射光学装置と、第１冷却気体を吸引して前記光源装置に送出する冷却ファンと、前記光源装置に電力を供給する光源駆動装置と、前記光源駆動装置を冷却した第２冷却気体が内部を流通する第１ダクトと、を備え、前記第１ダクトは、前記冷却ファンが配置される配置部を有し、前記冷却ファンは、前記第１冷却気体を吸引する吸気口が前記第１ダクトとは反対側を向くように前記配置部に配置されることを特徴とする。
【０００８】
このような構成によれば、冷却ファンの吸気口が、光源駆動装置を冷却した第２冷却気体が流通する第１ダクトとは反対側を向くことにより、当該冷却ファンは、第１冷却気体として第２冷却気体を吸引することが抑制される。これにより、冷却ファンは、第２冷却気体より温度が低く安定した第１冷却気体を吸引して光源装置に送出できる。従って、第２冷却気体が送出される場合に比べて、光源装置を安定して冷却できる。
また、第１ダクトが有する配置部に冷却ファンが配置されることにより、光源装置の安定的な冷却を実現しつつ、これら第１ダクト、冷却ファン及び光源装置を密に配置できる。この他、平面的に見て重ならないように第１ダクト及び冷却ファンが配置される場合に比べて、プロジェクターにおける第１ダクト及び冷却ファンの設置面積を縮小できる。従って、第１ダクトを設けたことによるプロジェクターの大型化を抑制できる。
更に、光源駆動装置を冷却した第２冷却気体を冷却ファンが吸引することを抑制できることにより、光源装置のレイアウト自由度を向上させることができる。
【０００９】
上記一態様では、前記第１ダクトは、前記第２冷却気体が流通するダクト形成部と、前記ダクト形成部から起立する起立部と、を有し、前記配置部は、前記起立部に位置することが好ましい。
このような構成によれば、冷却ファンが上記起立部に位置する配置部に配置されることにより、第１冷却気体が導入される光源装置の導入口に応じて冷却ファンを配置しやすくすることができる。すなわち、冷却ファンの配置位置を配置部によって調整できる。従って、第１冷却気体が効率よく光源装置に流通するように、冷却ファンを配置できる。
【００１０】
上記一態様では、前記冷却ファンは、前記ダクト形成部との間に所定の間隔を隔てて前記配置部に配置されることが好ましい。
このような構成によれば、冷却ファンを第２冷却気体の流路から離すことができるので、第２冷却気体の熱がダクト形成部に伝導される場合でも、当該熱が冷却ファンに伝わりにくくすることができる。従って、冷却ファンから送出される第１冷却気体の温度上昇を抑制でき、光源装置をより安定して冷却できる。
【００１１】
上記一態様では、前記第１ダクトは、それぞれ異なる面に位置するとともに、前記第２冷却気体を外部に排出する複数の排出口を有し、前記複数の排出口のうち少なくとも１つの排出口を介して前記第１ダクトから排出される前記第２冷却気体は、所定の冷却対象に流通することが好ましい。
ここで、複数の排出口が第１ダクトにおける１つの面に配置される場合、当該１つの面を大きく形成する必要があり、第１ダクトが大型化する。
これに対し、上記構成によれば、複数の排出口がそれぞれ異なる面に位置することにより、第１ダクトの大型化を抑制しつつ、第２冷却気体を排出する面積（複数の排出口の開口面積）を容易に拡大できる。従って、第２冷却気体の排気効率を確実かつ容易に高めることができ、当該第２冷却気体が第１ダクト内で停滞する場合に比べて、光源駆動装置の冷却効率を高めることができる。
更に、光源駆動装置を冷却した第２冷却気体を、上記所定の冷却対象の冷却に利用できる。従って、第２冷却気体を有効に活用できる。
【００１２】
上記一態様では、前記光源装置は、発光管と、前記発光管から出射された光を反射する凹曲面状の反射面を有する反射鏡と、前記発光管及び前記反射鏡を収容する収容体と、を備え、前記冷却ファンは、前記反射鏡の内側に位置する前記発光管を冷却する前記第１冷却気体を送出し、前記少なくとも１つの排出口から排出された前記第２冷却気体は、前記反射鏡において前記反射面とは反対側を流通し、前記冷却対象としての前記発光管の端部を冷却することが好ましい。
ここで、発光管は、放電発光する放電空間が内部に形成された発光部と、当該発光部から延出する封止部とを有する構成が一般的であり、当該発光管において最も高温となる部位は、発光部である。このような発光部は、反射鏡において凹曲面状の反射面の内側に配置される。このような反射鏡の内側に位置する発光部に第１冷却気体が送出されることにより、発光管を効果的に冷却できる。
一方、第２冷却気体は、光源駆動装置を冷却した気体であるので、第１冷却気体より温度が高くなりやすいものの、点灯時の発光管より温度が低い。このため、当該第２冷却気体を、反射鏡において反射面とは反対側に位置する発光管の端部に、上記第１冷却気体とは別の流路を介して流通させることにより、当該端部を冷却できる。
従って、光源装置が有する発光管全体の冷却効率を一層向上させることができる。
【００１３】
上記一態様では、外装を構成する外装筐体と、前記外装筐体内に配置され、前記第１冷却気体及び前記第２冷却気体が流入される排気ダクトと、前記排気ダクト内に流入された前記第１冷却気体及び前記第２冷却気体を、前記外装筐体外に排出する排気ファンと、を備えることが好ましい。
このような構成によれば、排気ダクトによって第１冷却気体及び第２冷却気体が集約され、排気ファンによって当該第１冷却気体及び第２冷却気体が外装筐体外に排出される。これによれば、光源装置を冷却した第１冷却気体及び光源駆動装置を冷却した第２冷却気体が外装筐体内に停滞することを抑制できる。従って、これら冷却気体の排出効率を高めることができ、光源装置及び光源駆動装置の冷却効率を高めることができる。
【図面の簡単な説明】
【００１４】
【図１】本発明の一実施形態に係るプロジェクターの外観を示す斜視図。
【図２】上記実施形態における装置本体を示す斜視図。
【図３】上記実施形態における画像形成装置の構成を示す模式図。
【図４】上記実施形態における光源装置を示す斜視図。
【図５】上記実施形態における光源装置を示す斜視図。
【図６】上記実施形態における光源装置を示す斜視図。
【図７】上記実施形態における収容体の正面部を示す図。
【図８】上記実施形態における収容体の右側面部を示す図。
【図９】上記実施形態におけるダクトを示す斜視図。
【図１０】上記実施形態におけるダクトを示す斜視図。
【図１１】上記実施形態におけるダクトの断面を示す図。
【図１２】上記実施形態におけるダクト、ファン、光源収納部及び排気ダクトを示す側面図。
【図１３】上記実施形態における排気ダクトを示す図。
【図１４】上記実施形態における排気ダクトを示す図。
【発明を実施するための形態】
【００１５】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、内部に設けられた光源装置４１（図２参照）から出射された光を変調して画像情報に応じた画像を形成し、当該画像をスクリーン等の被投射面上に拡大投射する画像表示装置である。このプロジェクター１は、図１に示すように、外装を構成する外装筐体２と、当該外装筐体２内に収容される装置本体３（図２参照）と、を備える。
そして、詳しくは後述するが、プロジェクター１は、光源装置４１に点灯電力を供給する光源駆動装置６２（図２参照）からの排気が流通するダクト７３と、吸気口７４１が当該ダクト７３とは反対側を向くように当該ダクト７３に配置される光源冷却用のファン７４と、を有する点を特徴の１つとしている。
以下、プロジェクター１の各構成について説明する。
【００１６】
［外装筐体の構成］
外装筐体２は、当該外装筐体２の上部を構成するアッパーケース２Ａと、下部を構成するロアーケース２Ｂと、正面部を構成するフロントケース２Ｃと、背面部を構成するリアケース２Ｄと、を備え、これらが組み合わされて全体略直方体形状に形成されている。この外装筐体２は、天面部２１、底面部２２、正面部２３、背面部２４、左側面部２５及び右側面部２６を有する。そして、天面部２１は、アッパーケース２Ａと、フロントケース２Ｃの一部とによって構成され、底面部は、ロアーケース２Ｂによって構成され、正面部２３は、フロントケース２Ｃによって構成され、背面部２４は、リアケース２Ｄによって構成されている。また、左側面部２５及び右側面部２６は、それぞれ、各ケース２Ａ〜２Ｃの一部により構成されている。
【００１７】
天面部２１における背面部２４側及び左側面部２５側の位置には、後述する光源装置４１を挿抜するための開口部２１１が形成され、当該開口部２１１は左側面部２５側にスライド可能に設けられるランプカバー２１２によって閉塞される。
底面部２２には、設置面に当接される脚部２２１（図１では１つの脚部２２１のみ図示）が設けられている。
正面部２３の略中央には、後述する投射光学装置４６の一部を露出させ、画像が通過する開口部２３１が形成されている。また、正面部２３における右側面部２６側の部位には吸気口２３２が形成され、左側面部２５側の部位には排気口２３３が形成されている。
【００１８】
なお、以下の説明では、互いに直交する＋Ｘ方向、＋Ｙ方向及び＋Ｚ方向のうち、＋Ｚ方向を背面部２４から正面部２３に向かう方向とし、＋Ｙ方向を底面部２２から天面部２１に向かう方向とし、＋Ｘ方向を左側面部２５から右側面部２６に向かう方向とする。また、＋Ｚ方向とは反対方向を−Ｚ方向とする。−Ｘ方向及び−Ｙ方向も同様である。
このように各方向を規定した場合、プロジェクター１による画像の投射方向は、＋Ｚ方向に沿う方向となる。
【００１９】
［装置本体の構成］
図２は、上記外装筐体２内に配置された装置本体３を示す斜視図である。なお、図２においては、外装筐体２のうち、ロアーケース２Ｂのみを図示している。
装置本体３は、プロジェクター１の本体を構成する。この装置本体３は、図２に示すように、画像形成装置４、電源装置６及び冷却装置７を備える。この他、図示を省略するが、装置本体３は、プロジェクター１の動作を制御する制御装置を備える。
【００２０】
［画像形成装置の構成］
図３は、画像形成装置４の構成を示す模式図である。
画像形成装置４は、上記制御装置による制御の下、画像情報に応じた画像を形成及び投射する。この画像形成装置４は、図３に示すように、光源装置４１、照明光学装置４２、色分離装置４３、リレー装置４４、電気光学装置４５、投射光学装置４６及び光学部品用筐体４７を備え、これらが組み合わされて＋Ｘ方向及び＋Ｚ方向に延出した略Ｌ字状の光学ユニットとして構成されている。
【００２１】
光源装置４１は、照明光学装置４２に向けて＋Ｘ方向に光を出射する。この光源装置４１は、発光管４１１、主反射鏡４１２、平行化レンズ４１３及び収容体５を有する。
発光管４１１は、後述する光源駆動装置６２から供給される点灯電力（ランプ電力）によって点灯する光源ランプであり、中心軸が＋Ｘ方向に沿うように配置される。この発光管４１１は、発光部４１１１と、当該発光部４１１１から＋Ｘ方向に延出する封止部４１１２と、−Ｘ方向に延出する封止部４１１３と、を有する。
発光部４１１１は、＋Ｘ方向における発光管４１１の略中央に位置する。この発光部４１１１内には、放電物質及び一対の電極が封入されて当該一対の電極間で放電発光する放電空間が形成されている。なお、一対の電極は、それぞれ、封止部４１１２，４１１３内に配置される電極線に接続されている。
【００２２】
主反射鏡４１２は、封止部４１１３に取り付けられた反射鏡である。この主反射鏡４１２は、凹曲面状を有する反射面４１２Ａを有し、当該反射面４１２Ａの内側には、上記発光部４１１１が位置する。このような主反射鏡４１２は、当該発光部４１１１から入射される光、及び、上記副反射鏡にて反射されて入射される光を、平行化レンズ４１３側に反射させる。
平行化レンズ４１３は、入射される光束を平行化して出射する。この平行化レンズ４１３は、収容体５の正面部５３に、取付部材５Ｅ（図４参照）によって取り付けられる。
なお、収容体５の構成については、後に詳述する。
【００２３】
照明光学装置４２は、光源装置４１から出射された光束の中心軸に対する直交面内の照度を均一化する。この照明光学装置４２は、光源装置４１からの光束の入射順に、シネマフィルター４２１、第１レンズアレイ４２２、調光装置４２３、第２レンズアレイ４２４、偏光変換素子４２５及び重畳レンズ４２６を有する。
シネマフィルター４２１は、所定波長帯の光の透過率が調整されたフィルターであり、光源装置４１から出射された光束の中心軸に対する直交方向（正面部２３と背面部２４とを結ぶ方向であり、後述する±Ｚ方向）に沿って進退可能に構成され、当該光束の通過領域内に挿抜される。すなわち、シネマフィルター４２１は、当該光束の光路上に配置される状態と、当該光束の光路から外れた状態とに切り替え可能に構成されている。このようなシネマフィルター４２１は、上記中心軸に対する直交面（後述するＹＺ平面）に対して傾斜して配置されている。詳述すると、シネマフィルター４２１は、天面部２１側の端部が底面部２２側の端部より光源装置４１に近くなるように傾斜して配置されている。そして、シネマフィルター４２１は、傾斜した状態で進退される。
【００２４】
第１レンズアレイ４２２及び第２レンズアレイ４２４は、互いに対応する複数の小レンズを有する。そして、第１レンズアレイ４２２は、入射される光束を複数の部分光束に分割し、第２レンズアレイ４２４は、重畳レンズ４２６とともに、当該複数の部分光束を後述する液晶パネル４５３の被照明領域（画像形成領域）に重畳させる。
調光装置４２３は、第１レンズアレイ４２２から第２レンズアレイ４２４に入射される光束の光路上に挿抜される一対の遮蔽部材を有し、当該一対の遮蔽部材の光路への挿入量に応じて、第２レンズアレイ４２４に入射される光の光量を調整する。
偏光変換素子４２５は、入射される光束の偏光方向を揃える機能を有する。
【００２５】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２６】
電気光学装置４５は、分離された各色光を画像情報に応じてそれぞれ変調した後、当該各色光を合成する。この電気光学装置４５は、色光毎にそれぞれ設けられるフィールドレンズ４５１、入射側偏光板４５２、光変調装置としての液晶パネル４５３（赤、緑及び青用の液晶パネルをそれぞれ４５３Ｒ，４５３Ｇ，４５３Ｂとする）及び出射側偏光板４５４と、変調された各色光を合成して投射画像を形成する色合成装置としてのクロスダイクロイックプリズム４５５と、を有する。
投射光学装置４６は、形成された投射画像を＋Ｚ方向に沿って拡大投射して、当該投射画像を上記被投射面上に表示させる。この投射光学装置４６は、複数のレンズ（図示省略）と、当該複数のレンズを内部に収納する鏡筒４６１とを備えた組レンズとして構成されている。
【００２７】
光学部品用筐体４７は、図２に示すように、光源装置４１が配置される光源収納部４７１と、上記シネマフィルター４２１等の上記光学部品が内部に配置される部品収納部材４７２と、当該部品収納部材４７２と組み合わされる蓋状部材４７３と、部品収納部材４７２と組み合わされ、投射光学装置４６を支持する支持部材４７４と、を備える。
この光学部品用筐体４７の内部には、図３に示すように、設計上の光軸である照明光軸Ａｘが設定されており、上記各装置４２〜４４及びフィールドレンズ４５１は、当該照明光軸Ａｘにおける所定位置に配置され、光源装置４１と、フィールドレンズ４５１を除く電気光学装置４５の構成と、投射光学装置４６とは、当該照明光軸Ａｘの延長線上に配置される。このため、光源装置４１が光源収納部４７１に配置された際には、当該光源装置４１から出射される光の中心軸は、照明光軸Ａｘと一致する。
【００２８】
［光源装置の収容体の構成］
図４〜図６は、光源装置４１を示す斜視図である。具体的に、図４は、正面側上方から見た光源装置４１を見た斜視図であり、図５は、背面側上方から光源装置４１を見た斜視図であり、図６は、背面側下方から光源装置４１を見た斜視図である。
収容体５は、それぞれ上記した発光管４１１及び主反射鏡４１２を収容するとともに、上記平行化レンズ４１３が取り付けられる光源用筐体である。この収容体５は、図４〜図６に示すように、光源装置４１において光出射側（＋Ｘ方向側）に位置する第１本体部５Ｂ、及び、当該光出射側とは反対側（−Ｘ方向側）に位置する第２本体部５Ｃが組み合わされて構成される収容体本体５Ａと、収容体本体５Ａ（第１本体部５Ｂ）に取り付けられて発光管４１１に冷却気体を導くダクト部材５Ｄと、取付部材５Ｅと、を有する。
【００２９】
これらのうち、収容体本体５Ａを構成する第１本体部５Ｂ及び第２本体部５Ｃは、発光管４１１及び主反射鏡４１２を挟むように互いに組み合わされ、これにより、収容体本体５Ａ内に発光管４１１及び主反射鏡４１２が配置される。これら第１本体部５Ｂ及び第２本体部５Ｃは、ガラスフィラーが含まれる樹脂により構成されている。
【００３０】
このような収容体５は、天面部５１、底面部５２、正面部５３、背面部５４、左側面部５５及び右側面部５６を有する。これらのうち、天面部５１及び底面部５２は、収容体本体５Ａ及びダクト部材５Ｄによってそれぞれ構成される。また、正面部５３は、第１本体部５Ｂ及び取付部材５Ｅによって構成され、背面部５４は、第２本体部５Ｃによって構成される。更に、左側面部５５は、収容体本体５Ａによって構成され、右側面部５６は、収容体本体５Ａ及びダクト部材５Ｄによって構成される。
そして、光源装置４１が上記光源収納部４７１に配置される際には、当該光源装置４１は、天面部５１が上記天面部２１側（＋Ｙ方向側）を向き、底面部５２が上記底面部２２側（−Ｙ方向側）を向き、左側面部５５が正面部２３側（＋Ｚ方向側）を向き、右側面部５６が背面部２４側（−Ｚ方向側）を向くように配置される。すなわち、光源装置４１は、左側面部２５側（−Ｘ方向側）から右側面部２６側（＋Ｘ方向側）に光を出射する。
これらのうち、天面部５１は、図４に示すように、光源収納部４７１に対して光源装置４１を挿抜する際に、当該光源装置４１を把持するための把手５１１を有する。
【００３１】
図７は、収容体５の正面部５３を示す図である。
正面部５３は、上記発光管４１１から出射されて主反射鏡４１２によって反射された光が出射される光出射面を構成する。この正面部５３は、当該光が通過する通過口（図示省略）を有し、当該通過口を閉塞するように、上記取付部材５Ｅによって平行化レンズ４１３が配置される。また、正面部５３は、図７に示すように、４つの係止部５３１、２つの位置決めピン５３２、ガイド部５３３、挿入部５３４及び２つの固定部５３５を有する。
【００３２】
係止部５３１は、図７に示すように、正面部５３における四隅近傍の部位に位置する。これら係止部５３１は、＋Ｙ方向側の部位で、かつ、＋Ｚ方向側及び−Ｚ方向側の部位にそれぞれ＋Ｙ方向側に向けて突設されている他、−Ｙ方向側の部位で、かつ、＋Ｚ方向側及び−Ｚ方向側の部位にそれぞれ−Ｙ方向側に向けて突設されている。これら係止部５３１は、取付部材５Ｅの四隅に位置する４つの取付部５Ｅ１に形成された孔部５Ｅ２に挿入され、これにより、平行化レンズ４１３を正面部５３に押さえた状態で取付部材５Ｅを係止する。
なお、取付部材５Ｅは、金属製の板バネであり、正面部５３に取り付けられた際に平行化レンズ４１３に正面部５３側への付勢力を作用させる。この取付部材５Ｅの中央には、平行化レンズ４１３を介した光が通過する円形状の開口部５Ｅ３が形成されている。
【００３３】
２つの位置決めピン５３２は、−Ｙ方向側の位置で、かつ、＋Ｚ方向側及び−Ｚ方向側の位置から、−Ｙ方向側に突出している。これら位置決めピン５３２は、上記部品収納部材４７２に形成された孔部（図示省略）に挿入される。
ガイド部５３３は、−Ｚ方向側に位置する。具体的に、ガイド部５３３は、正面部５３から光出射側（＋Ｘ方向側）に起立し、−Ｙ方向側の部位から＋Ｙ方向側の部位に亘って延出している。このガイド部５３３は、当該ガイド部５３３に応じて形成された上記部品収納部材４７２のガイド面（図示省略）に当接して、光源装置４１と部品収納部材４７２との接続を案内する。
挿入部５３４は、＋Ｙ方向側で、かつ、＋Ｚ方向側の位置から、当該＋Ｚ方向側に起立している。この挿入部５３４は、上記部品収納部材４７２に形成された溝部（図示省略）に挿入され、上記位置決めピン５３２とともに、部品収納部材４７２に対して光源装置４１を位置決めする。
【００３４】
２つの固定部５３５は、正面部５３における＋Ｙ方向側で、かつ、＋Ｚ方向側及び−Ｚ方向側の部位に位置し、それぞれ＋Ｘ方向に突出している。これら固定部５３５は、光源装置４１を部品収納部材４７２に固定するねじＳＣが＋Ｙ方向側から−Ｙ方向側に向けて挿通する孔部（図示省略）を有する。これら孔部を挿通したねじＳＣが部品収納部材４７２に固定されることにより、光源収納部４７１内に収納された光源装置４１は、部品収納部材４７２と組み合わされる。
【００３５】
ここで、ダクト部材５Ｄについて説明する。
ダクト部材５Ｄは、図４、図７及び図８に示すように、略Ｃ字状を有し、発光管４１１の中心軸を中心とする周方向に沿って、第１本体部５Ｂにおける＋Ｘ方向側の位置に取り付けられる。すなわち、ダクト部材５Ｄは、図７及び図８に二点鎖線で示される発光管４１１において＋Ｘ方向における中央に位置する発光部４１１１より＋Ｘ方向側に位置し、第１本体部５Ｂを−Ｚ方向側、＋Ｙ方向側及び−Ｙ方向側から覆うように取り付けられる。これにより、第１本体部５Ｂの外面とダクト部材５Ｄの内面とにより、冷却気体（後述する第１冷却気体）が流通する流路が形成される。
このようなダクト部材５Ｄは、導入口５Ｄ１、流路切替部材５Ｄ２、第１導風部５Ｄ３及び第２導風部５Ｄ４を有する。
【００３６】
導入口５Ｄ１は、−Ｚ方向側の面である右側面部５６に位置し、後述するファン７４の送出口７４２と接続される。そして、導入口５Ｄ１は、当該送出口７４２を介してファン７４から＋Ｚ方向側に送出された冷却気体をダクト部材５Ｄの内部に導入する。
流路切替部材５Ｄ２は、導入口５Ｄ１に応じたダクト部材５Ｄの内側で、かつ、導風部５Ｄ３，５Ｄ４の分岐部分に配置されている。
【００３７】
第１導風部５Ｄ３は、上記分岐部分から右側面部５６に沿って＋Ｙ方向側に延出した後、天面部５１に沿って＋Ｚ方向側に延出している。この第１導風部５Ｄ３の終端部分５Ｄ３１に応じた第１本体部５Ｂの位置には、発光管４１１に冷却気体を送出する送出口（図示省略）が形成されている。
第２導風部５Ｄ４は、上記分岐部分から右側面部５６に沿って−Ｙ方向側に延出した後、底面部５２に沿って＋Ｚ方向側に延出している。この第２導風部５Ｄ４の終端部分５Ｄ４１に応じた第１本体部５Ｂの位置にも、発光管４１１に冷却気体を送出する送出口（図示省略）が形成されている。
【００３８】
そして、上記流路切替部材５Ｄ２が、上記導風部５Ｄ３，５Ｄ４のうち、鉛直方向下側に位置する導風部の少なくとも一部を閉塞することにより、鉛直方向上側に位置する導風部に、ダクト部材５Ｄの内部に導入された冷却気体が導かれる。これにより、当該冷却気体は、発光管４１１に対して鉛直方向上側から送出され、発光部４１１１における鉛直方向上部が冷却される。
なお、第１導風部５Ｄ３に冷却気体が流通する場合には、当該第１導風部５Ｄ３が発光管４１１に対して鉛直方向上側に位置する場合であるため、当該冷却気体は、発光管４１１に対して上側から送出される。第２導風部５Ｄ４に冷却気体が流通する場合も同様である。
【００３９】
図８は、収容体５の右側面部５６を示す図である。
右側面部５６における正面部５３側の部位には、図４、図６及び図８に示すように、上記のように、ダクト部材５Ｄが取り付けられ、上記導入口５Ｄ１が位置する。また、右側面部５６における略中央には、光源収納部４７１に配置されたコネクター（図示省略）と接続されるコネクターＣＮが設けられている。このコネクターＣＮには、供給された点灯電力を発光管４１１に供給する２つのリード線ＬＥが接続されている。
更に、右側面部５６における背面部５４側の部位には、開口部５６１が位置する。この開口部５６１は、主反射鏡４１２の背面側（−Ｘ方向側）の部位や発光管４１１の封止部４１１３を冷却する冷却気体を取り込む開口部であり、当該開口部５６１には、後述するダクト７３を流通した冷却気体の一部が導入される。
【００４０】
開口部５６１の内側には、図８に示すように、発光管４１１における封止部４１１３の端部４１１４に冷却気体を導く整流部５６２，５６３が、互いに対向するように設けられている。詳述すると、整流部５６２，５６３は、右側面部５６に対向する位置から見て、主反射鏡４１２から光出射側（反射面４１２Ａ側）とは反対側に露出する封止部４１１３の端部４１１４を、＋Ｙ方向側及び−Ｙ方向側から挟むように配置されている。
これら整流部５６２，５６３は、＋Ｚ方向側に向かうに従って、端部４１１４に近接する方向に傾斜しており、最も近接する位置が、当該端部４１１４を＋Ｙ方向側及び−Ｙ方向側から挟む位置に設定されている。このため、開口部５６１から導入された冷却気体のうち、一部の冷却気体は、これら整流部５６２，５６３に沿って当該端部４１１４に流通する。このような端部４１１４には、封止部４１１３内に位置し、かつ、上記コネクターＣＮから延出するリード線と接続される電極線が露出している。この電極線の露出部分に流通される冷却気体の流速が、上記整流部５６２，５６３により高められることから、当該露出部分の冷却効率を向上させることができる。
【００４１】
左側面部５５は、図５に示すように、＋Ｘ方向側の部位に、上記ダクト部材５Ｄを介して収容体５内に導かれて発光管４１１を冷却した冷却気体を収容体５外に排出する排気口５５１を有する。この排気口５５１から排出された冷却気体は、後述する排気ダクト７５内に導入される。
また、左側面部５５は、−Ｘ方向側の部位に、上記端部４１１４や主反射鏡４１２における反射面４１２Ａ側とは反対側の部位を冷却した冷却気体を収容体５外に排出する開口部５５２が位置する。この開口部５５２を介して排出される冷却気体は、上記と同様に排気ダクト７５内に取り込まれる。
【００４２】
［電源装置の構成］
図２に示すように、電源装置６は、外装筐体２内の空間において上記画像形成装置４に対する−Ｚ方向側の位置に、背面部２４に沿って配置されている。この電源装置６は、電源ブロック６１と、いわゆるバラストである光源駆動装置６２と、を備える。
電源ブロック６１は、底面部２２に配設されたインレットコネクター（図示省略）に接続される電源ケーブルＣＡを介して外部から供給される商用交流電流を直流電流に変換し、プロジェクター１を構成する電子部品に応じて昇圧及び降圧した電流を、当該電子部品に供給する。このような電源ブロック６１は、交直変換回路及び電圧変換回路が実装された電源基板（図示省略）と、当該電源基板を覆い、かつ、当該電源基板からの電磁波の漏出を抑制するシールド６１１と、を備える。
【００４３】
光源駆動装置６２は、電源ブロック６１に対して−Ｘ方向側に位置する。この光源駆動装置６２は、当該電源ブロック６１から供給される電流を光源装置４１に供給して、当該光源装置４１が有する上記発光管４１１を点灯させる。このような光源駆動装置６２は、降圧回路、変換回路及びパルス生成回路が実装された点灯制御基板（図示省略）と、当該点灯制御基板を収容する収容体６２１と、当該収容体６２１を覆い、かつ、当該点灯制御基板からの電磁波の漏出を抑制するシールド６２２と、を備える。
これらのうち、降圧回路は、ダウンチョッパー回路であり、電源ブロック６１から供給される直流電流の電圧を、発光管４１１の点灯に適した電圧に降下させる。
変換回路は、インバーター回路であり、入力される直流電流を交流電流に変換する。この変換回路によって発光管４１１に供給されるランプ電流の周波数は、上記制御装置によって発光管４１１の点灯状態に応じて変更される。
パルス生成回路は、イグナイター回路であり、発光管４１１の点灯始動時に動作する。具体的に、パルス生成回路は、発光管４１１に高電圧パルスを出力して電極間の絶縁破壊を行い、発光管４１１の点灯始動を促す。このような絶縁破壊が行われた後、発光管４１１の点灯は、上記変換回路により供給されるランプ電流によって維持される。
【００４４】
［冷却装置の構成］
冷却装置７は、冷却気体をプロジェクター１の各構成に流通させ、当該各構成を冷却するものである。この冷却装置７は、吸気口２３２に接続される吸気ダクト７１と、当該吸気ダクト７１を介して外装筐体２外から冷却気体を吸引し、当該冷却気体を電気光学装置４５及び偏光変換素子４２５に送出するファン（図示省略）と、を備える。
この他、冷却装置７は、電源装置６を冷却するファン７２と、光源駆動装置６２を冷却した冷却気体が流通するダクト７３と、光源装置４１に冷却気体を送出するファン７４、及び、排気ダクト７５を備える。これらのうち、ファン７４は、光源装置４１を冷却する冷却気体、より詳しくは、光源装置４１が有する発光管４１１の上記発光部４１１１及び封止部４１１２を冷却する冷却気体を、上記導入口５Ｄ１に送出するファンである。
なお、以下の説明では、ファン７４から光源装置４１に供給される冷却気体を第１冷却気体とし、光源駆動装置６２を冷却してダクト７３内を流通する冷却気体を第２冷却気体とする。
【００４５】
ファン７２は、電源ブロック６１と光源駆動装置６２との間に配置され、これらに冷却気体を流通させる。このファン７２は、シロッコファンで構成され、吸気口が電源ブロック６１の一端（左側面部２５側で、正面部２３側の端部）に対向し、送出口が光源駆動装置６２の一端（右側面部２６側の端部）を向くように配置される。このようなファン７２が駆動されると、当該ファン７２の吸引力により、外装筐体２内の冷却気体が電源ブロック６１のシールド６１１内を＋Ｘ方向側から−Ｘ方向側に流通し、これにより、当該電源ブロック６１が冷却される。また、電源ブロック６１を冷却した冷却気体は、ファン７２によって吸引され、光源駆動装置６２に送出され、当該冷却気体は、光源駆動装置６２内を＋Ｘ方向側から−Ｘ方向側に流通する。
【００４６】
［ダクトの構成］
図９及び図１０は、ダクト７３を示す斜視図である。詳述すると、図９は、ダクト７３を背面部２４側で、かつ、天面部２１側から見た斜視図であり、図１０は、ダクト７３を正面部２３側で、かつ、天面部２１側から見た斜視図である。
ダクト７３は、本発明の第１ダクトに相当し、図２に示すように、光源装置４１と背面部２４の内面との間に、＋Ｘ方向に沿って配置される。このダクト７３は、光源駆動装置６２と接続されるとともに底面部２２の内面に取り付けられ、当該内面とダクト７３（ダクト形成部７３４）の内面とにより、光源駆動装置６２を冷却した第２冷却気体が流通する流路が形成される。このようなダクト７３は、図９及び図１０に示すように、固定部７３１、一対の接続部７３２、開口部７３３、ダクト形成部７３４、起立部７３５、配置部７３６、第１排出口７３７及び第２排出口７３８を有する。
【００４７】
固定部７３１は、ダクト７３を底面部２２の内面に固定する部位であり、ダクト７３の外周部分に複数設けられている。これら固定部７３１は、底面部２２の内面に固定されるねじ（図示省略）が挿通する孔部７３１１を有する。また、複数の固定部７３１のうち、−Ｘ方向側及び＋Ｚ方向側に位置する２つの固定部７３１は、底面部２２の内面に突設された位置決め突起（図示省略）が挿入される孔部７３１２を有する。
一対の接続部７３２は、ダクト７３において＋Ｘ方向側の端部に位置し、光源駆動装置６２の収容体６２１において−Ｘ方向側の端部に接続される。
開口部７３３は、一対の接続部７３２の内側に位置し、当該開口部７３３を介して、第２冷却気体がダクト形成部７３４内に導入される。
【００４８】
図１１は、＋Ｚ方向の略中央でのＸＹ平面におけるダクト７３の断面を＋Ｚ方向側から見た図である。
ダクト形成部７３４は、ＸＹ平面に沿う側面部７３４１と、ＹＺ平面に沿う側面部７３４２と、これら側面部７３４１，７３４２と交差するＸＺ平面に略沿う天面部７３４３と、を有し、内部を第２冷却気体が−Ｘ方向側に流通するダクト（流路）を形成する。
側面部７３４１は、−Ｚ方向側に位置し、側面部７３４２は、−Ｘ方向側に位置する。これら側面部７３４１，７３４２は、ダクト７３が底面部２２の内面に取り付けられた際に、当該内面から起立する壁部となる。
天面部７３４３は、ダクト７３が底面部２２の内面に取り付けられた際に、当該内面に対向する。この天面部７３４３は、図１１に示すように、−Ｘ方向側に向かうに従って−Ｙ方向側（底面部２２の内面側）に向かうように傾斜した後、ＸＺ平面に沿って延出している。
【００４９】
起立部７３５は、上記天面部７３４３における＋Ｙ方向側の面７３４３Ａから＋Ｙ方向側に起立し、＋Ｙ方向側から見て略円形状に形成されている。すなわち、起立部７３５は、シロッコファンであるファン７４の外形形状に応じて面７３４３Ａから起立している。この起立部７３５の起立方向先端（＋Ｙ方向先端）には、配置部７３６が位置する。
【００５０】
配置部７３６は、図２に示すように、上記導入口５Ｄ１に第１冷却気体を送出するファン７４が配置される部位である。この配置部７３６は、外周部分に３つの固定部７３６１を有する。これら固定部７３６１は、ファン７４を挿通したねじ（図示省略）が螺合するねじ孔７３６２を有する。この他、２つの固定部７３６１は、ファン７４に挿入される位置決め突起７３６３を有する。
このような配置部７３６には、吸気口７４１が＋Ｙ方向側を向き、送出口７４２が導入口５Ｄ１に接続されるように、ファン７４が配置される。配置部７３６に配置される際には、ファン７４における吸気口７４１側とは反対側の端部（−Ｙ方向側の端部）は、起立部７３５内に配置される。このファン７４により、当該ファン７４に対してダクト７３とは反対側の冷却気体（ファン７４に対して主に＋Ｙ方向側に位置する冷却気体）が吸引され、当該冷却気体は、第１冷却気体として＋Ｚ方向側に位置する導入口５Ｄ１に向けて送出される。
【００５１】
ここで、上記ダクト形成部７３４内を流通する第２冷却気体は、上記天面部７３４３により遮蔽されて、起立部７３５内には流入しない。そして、ファン７４とダクト形成部７３４との間には、起立部７３５の＋Ｙ方向における寸法分だけ間隔が空けられる。このため、光源駆動装置６２を冷却した第２冷却気体の熱が、ファン７４に伝導されることが抑制される他、ファン７４によって当該第２冷却気体が吸引されることが抑制される。
【００５２】
図１２は、ダクト７３、ファン７４、光源収納部４７１及び排気ダクト７５を−Ｘ方向側から見た側面図である。
第１排出口７３７は、図１０に示すように、ダクト７３において＋Ｚ方向側の端部に形成された略矩形状の開口部である。この第１排出口７３７は、図１２に示すように、−Ｙ方向側の一部が光源収納部４７１の下方に開口し、＋Ｙ方向側の一部が、光源収納部４７１と光源装置４１との間に開口している。このため、上記ダクト形成部７３４を通った第２冷却気体のうち、第１排出口７３７から排出される一部の第２冷却気体は、光源収納部４７１の底部（−Ｙ方向側の端部）と底面部２２の内面との間を＋Ｚ方向側に流通して、後述する排気ダクト７５内に流入される。
【００５３】
第２排出口７３８は、図９及び図１０に示すように、上記天面部７３４３において起立部７３５より−Ｘ方向側の部位に形成された略三角形状の開口部である。この第２排出口７３８から、ダクト形成部７３４内を流通した第２冷却気体の一部が、＋Ｙ方向側に排出される。
このような第２排出口７３８は、上記光源装置４１の開口部５６１（図８参照）に対して−Ｚ方向側に位置しており、当該第２排出口７３８から排出された第２冷却気体は、光源収納部４７１の開口部（図示省略）を介して、開口部５６１内に流入される。この第２冷却気体は、上記のように、整流部５６２，５６３によって上記端部４１１４に導かれて当該端部４１１４を冷却する。
なお、第２冷却気体は、当該光源駆動装置６２に加えて電源ブロック６１を冷却した後の気体であるため、外装筐体２外の気体より温度は高い。しかしながら、当該第２冷却気体の温度は、発光管４１１における端部４１１４の温度より低い。このため、第２冷却気体により当該端部４１１４を確実に冷却できる。
なお、端部４１１４を冷却した第２冷却気体は、上記のように、左側面部５５の開口部５５２（図５参照）から収容体５外に排出され、排気ダクト７５内に流入される。
【００５４】
［排気ダクトの構成］
図１３は、排気ダクト７５を＋Ｙ方向側から見た図である。また、図１４は、排気ダクト７５を−Ｙ方向側から見た図である。
排気ダクト７５は、図２に示すように、正面部２３の内面と光源収納部４７１との間に配置され、外装筐体２内を流通して各冷却対象（例えば光源装置４１）を冷却した冷却気体を、上記排気口２３３を介して外装筐体２外に排出するダクトである。この排気ダクト７５内には、図１２に示すように、軸流ファンである排気ファン７６が配置されている。
この排気ダクト７５は、図１２〜１４に示すように、複数の固定部７５１と、３つの導入口７５２〜７５４及び１つの排気口７５５を有する。
【００５５】
複数の固定部７５１は、排気ダクト７５の外周部分に設けられている。これら固定部７５１は、底面部２２の内面に固定されるねじ（図示省略）が挿通する孔部を有する。
導入口７５２は、排気ダクト７５において−Ｚ方向側の端部に位置する。この導入口７５２を介して、光源装置４１の排気口５５１から排出された第１冷却気体と、開口部５５２から排出された第２冷却気体とが、排気ダクト７５内に導入される。
導入口７５３は、排気ダクト７５における＋Ｙ方向側の面に３つ形成され、導入口７５４は、排気ダクト７５における−Ｙ方向側の面に３つ形成されている。これら導入口７５３，７５４を介して、光源装置４１の他の一部や他の冷却対象を冷却した冷却気体が、排気ダクト７５内に導入される。例えば、上記第１排出口７３７から排出された第２冷却気体は、上記光源収納部４７１の下方を通って、導入口７５４を介して排気ダクト７５内に導入される。
【００５６】
排気口７５５は、排気ダクト７５における＋Ｚ方向側の端部に形成され、上記排気口２３３と接続される。これら排気口７５５，２３３を介して、排気ファン７６の駆動によって各導入口７５２〜７５４を介して排気ダクト７５内に導入された冷却気体が、当該排気ファン７６によって外装筐体２外に排出される。
【００５７】
［実施形態の効果］
以上説明した本実施形態に係るプロジェクター１によれば、以下の効果がある。
ダクト７３に配置されたファン７４の吸気口７４１は、第２冷却気体が流通する当該ダクト７３とは反対側を向いている。これによれば、ファン７４が、光源装置４１に送出する冷却気体（第１冷却気体）として、光源駆動装置６２を冷却した第２冷却気体を吸引してしまうことを抑制できる。このため、ファン７４は、当該第２冷却気体より温度が安定した冷却気体を第１冷却気体として吸引して光源装置４１に送出できる。従って、光源装置４１を効率よく安定して冷却できる。
また、ダクト７３の配置部７３６にファン７４が配置されることにより、上記効果を奏しつつ、これらダクト７３、ファン７４及び光源装置４１を密に配置できる。従って、ダクト７３を設けたことによるプロジェクター１の大型化を抑制できる。すなわち、ダクト７３を設ける際に、底面部２２の内面にダクト７３及びファン７４を平面的に（当該内面に沿って）配置した場合と比較して、ダクト７３の配置部７３６にファン７４が配置されることにより、プロジェクター１の大型化を抑制できる。
更に、第２冷却気体をファン７４が吸引することを抑制できることにより、光源装置４１の配置（レイアウト）の自由度を向上させることができる。
【００５８】
ダクト７３は、第２冷却気体が流通するダクト形成部７３４と、当該ダクト形成部７３４の天面部７３４３から起立する起立部７３５と、を有し、ファン７４の配置部７３６は、当該起立部７３５に位置する。これによれば、底面部２２の内面からのファン７４の高さ位置が調整されるので、光源装置４１の導入口５Ｄ１と送出口７４２が接続されるように、ファン７４を配置しやすくすることができる。従って、冷却気体が光源装置４１に効率よく流通可能にファン７４を配置できる。
【００５９】
ファン７４は、起立部７３５によってダクト形成部７３４との間に所定の間隔を隔てて配置部７３６に配置される。これによれば、第２冷却気体の熱がダクト形成部７３４に伝導される場合でも、当該熱がファン７４に伝わりにくくすることができる。従って、光源装置４１に送出される第１冷却気体の温度上昇を抑制でき、光源装置４１をより安定して冷却できる。
【００６０】
ここで、第１排出口７３７及び第２排出口７３８が、ダクト７３における１つの面に位置する場合、当該１つの面を大きくする必要があり、ダクト７３が大型化する。
これに対し、ダクト７３は、当該ダクト７３においてそれぞれ異なる面に位置し、それぞれ第２冷却気体を排出する第１排出口７３７及び第２排出口７３８を有する。これによれば、ダクト７３の大型化を抑制しつつ、排出口７３７，７３８の開口面積を拡大できる。従って、ダクト７３からの第２冷却気体の排気効率を確実かつ容易に高めることができ、当該第２冷却気体を停滞させることなく排出できるので、光源駆動装置６２の冷却効率を高めることができる。
更に、第２排出口７３８を介してダクト７３から排出される第２冷却気体は、冷却対象としての光源装置４１が有する発光管４１１の端部４１１４に流通するので、光源駆動装置６２を冷却した第２冷却気体を、当該端部４１１４の冷却に利用できる。従って、当該冷却気体を有効に活用できる。
【００６１】
ここで、発光管４１１において最も高温となる部位は、発光部４１１１における鉛直方向上部である。このような発光部４１１１は、主反射鏡４１２において凹曲面状の反射面４１２Ａの内側に配置される。このような主反射鏡４１２の内側に位置する発光部４１１１に、ファン７４によって送出された第１冷却気体が流通されることにより、当該発光部４１１１を効果的に冷却できる。
一方、光源駆動装置６２を冷却した第２冷却気体は、ファン７４の周囲の冷却気体より温度が高くなりやすいものの、点灯時の発光管４１１より温度が低い。このため、当該第２冷却気体を上記端部４１１４に流通させて、当該端部４１１４を冷却することにより、発光管４１１をより効果的に冷却できる。
従って、光源装置４１の冷却効率を一層向上させることができる。
【００６２】
外装を構成する外装筐体２内には、光源装置４１及び光源駆動装置６２を冷却した各冷却気体が流入される排気ダクト７５と、当該排気ダクト７５内に流入された各冷却気体を外装筐体２外に排出する排気ファン７６と、が設けられている。これによれば、第１冷却気体及び第２冷却気体を、外装筐体２内に停滞させることなく外部に排出できる。従って、これら冷却気体の排出効率を高めることができ、光源装置４１及び光源駆動装置６２の冷却効率を高めることができる。
【００６３】
［実施形態の変形］
本発明は、上記実施形態に限定されるものではなく、本発明の目的を達成できる範囲での変形、改良等は本発明に含まれるものである。
上記実施形態では、冷却ファンとしてのファン７４は、第１ダクトとしてのダクト７３の天面部７３４３から＋Ｙ方向に起立する起立部７３５の先端部分に設けられた配置部７３６に配置されるとした。しかしながら、これに限らず、このような起立部７３５はなくてもよく、ファン７４は、光源駆動装置６２を冷却した冷却気体（第２冷却気体）が流通するダクト形成部７３４との間に所定の間隔を空けていなくてもよい。例えば、天面部７３４３に、固定部７３６１等を有する配置部７３６が設けられていてもよい。更に、ダクト７３に対するファン７４の配置位置は、当該ダクト７３に対する＋Ｙ方向側の位置に限らず、当該ダクト７３内を流通する第２冷却気体をファン７４が吸引しなければ、他の位置に配置されていてもよい。
【００６４】
上記実施形態では、ダクト７３は、それぞれダクト形成部７３４を流通した第２冷却気体を排出する第１排出口７３７及び第２排出口７３８を有するとした。しかしながら、これに限らず、ダクト７３が第２冷却気体を排出する排出口は、１つでもよく、３つ以上でもよい。また、ダクト７３が複数の排出口を有する場合でも、１つの面に各排出口が配置されていてもよい。
【００６５】
上記実施形態では、第２排出口７３８から排出された第２冷却気体は、収容体５の開口部５６１を介して当該収容体５内に導入され、発光管４１１の端部４１１４を冷却するとした。しかしながら、これに限らず、当該第２冷却気体は、端部４１１４に流通されなくてもよい。この場合、第２冷却気体は、コネクターＣＮ等の光源装置４１における他の部位に流通されてもよく、他の冷却対象に流通されてもよい。
【００６６】
上記実施形態では、外装筐体２内に配置される冷却装置７は、排気ダクト７５及び排気ファン７６を有するとした。しかしながら、これに限らず、光源装置４１及び光源駆動装置６２を冷却した冷却気体を外装筐体２外に排出できれば、排気ダクト７５及び排気ファン７６のうち少なくともいずれかは無くてもよい。
【００６７】
上記実施形態では、光源装置４１は、収容体本体５Ａに取り付けられるダクト部材５Ｄを有し、当該ダクト部材５Ｄは、導入口５Ｄ１、流路切替部材５Ｄ２、第１導風部５Ｄ３及び第２導風部５Ｄ４を有するとした。しかしながら、これに限らず、流路切替部材５Ｄ２と、第１導風部５Ｄ３及び第２導風部５Ｄ４のうち一方とは、無くてもよい。すなわち、プロジェクター１が上記正置き姿勢及び上記逆置き姿勢の一方でのみ使用される場合には、発光管４１１に対して鉛直方向下側に位置するダクト部と流路切替部材とは無くてもよい。
一方、プロジェクター１が取り得る設置姿勢に応じた数のダクト部をダクト部材５Ｄが備えていてもよい。このような設置姿勢としては、画像の投射方向が水平方向に略沿う上記正置き姿勢及び上記逆置き姿勢の他、当該投射方向が鉛直方向上側を向く上側投射姿勢、当該投射方向が鉛直方向下側を向く下側投射姿勢、画像の投射方向が水平方向に略沿うとともに左側面部２５及び右側面部２６のうち一方が鉛直方向上側を向く縦長投射姿勢が挙げられる。
【００６８】
上記実施形態では、プロジェクター１は、光変調装置として３つの液晶パネル４５３（４５３Ｂ，４５３Ｇ，４５３Ｒ）を備えるとした。しかしながら、これに限らず、２つ以下、あるいは、４つ以上の液晶パネルを備えたプロジェクターにも、本発明を適用可能である。
上記実施形態では、画像形成装置４は平面視略Ｌ字形状を有する構成とした。しかしながら、これに限らず、画像形成装置４は、例えば平面視略Ｕ字形状を有する構成等、他の形状を有する構成としてもよい。また、画像形成装置４に適用される光学部品も、上記に限らず、適宜変更可能である。
【００６９】
上記実施形態では、光変調装置として、光入射面と光出射面とが異なる透過型の液晶パネル４５３を採用した。しかしながら、これに限らず、光変調装置として、光入射面と光出射面とが同一となる反射型の液晶パネルを採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
上記実施形態では、光源装置４１は、光源としての発光管４１１と、当該発光管４１１から出射された光を反射させる反射鏡である主反射鏡４１２とを有する構成とした。しかしながら、これに限らず、光源としてＬＥＤ（Light Emitting Diode）やＬＤ(Laser Diode)等の固体光源を有する構成としてもよい。また、発光管４１１が採用される場合には、上記発光部４１１１において主反射鏡４１２側とは反対側の部分を覆い、当該発光部４１１１から入射される光を主反射鏡４１２側に反射させる副反射鏡を設けてもよい。更に、光源装置の数は２つ以上でもよい。
【００７０】
上記実施形態では、光源装置４１と、光源装置４１に第１冷却気体を送出するファン７４と、光源装置４１に電力を供給して当該光源装置４１を点灯させる光源駆動装置６２と、当該光源駆動装置６２を冷却した第２冷却気体が内部を流通するダクト７３と、をプロジェクター１に適用し、当該ダクト７３にファン７４が配置される配置部７３６を設け、吸気口７４１がダクト７３（ダクト形成部７３４）とは反対側を向くように配置部７３６にファン７４を配置した。しかしながら、このような構成は、プロジェクターに限らず、照明装置等の他の電子機器に適用してもよい。
【符号の説明】
【００７１】
１…プロジェクター、２…外装筐体、２２…底面部、２３…正面部、２４…背面部、２５…左側面部、２６…右側面部、３…装置本体、４…画像形成装置、４１…光源装置、４１１…発光管、４１１４…端部、４１２…主反射鏡（反射鏡）、４１２Ａ…反射面、４５…電気光学装置、４５３（４５３Ｂ，４５３Ｇ，４５３Ｒ）…液晶パネル（光変調装置）、４６…投射光学装置、４７…光学部品用筐体、４７１…光源収納部、４７２…部品収納部材、４７３…蓋状部材、５…収容体、５１…天面部、５４…背面部、５６１…開口部、６…電源装置、６１…電源ブロック、６１１…シールド、６２…光源駆動装置、６２１…収容体、６２２…シールド、７…冷却装置、７１…吸気ダクト、７２…ファン、７３…ダクト（第１ダクト）、７３４…ダクト形成部、７３５…起立部、７３６…配置部、７３７…第１排出口（複数の排出口）、７３８…第２排出口（複数の排出口）、７４…ファン（冷却ファン）、７４１…吸気口、７４２…送出口、７５…排気ダクト、７５２，７５３…開口部、７５５…排気口、７６…排気ファン、ＣＡ…ケーブル。
【図１】
2017181714.tif 000003
【図２】
2017181714.tif 000004
【図３】
2017181714.tif 000005
【図４】
2017181714.tif 000006
【図５】
2017181714.tif 000007
【図６】
2017181714.tif 000008
【図７】
2017181714.tif 000009
【図８】
2017181714.tif 000010
【図９】
2017181714.tif 000011
【図１０】
2017181714.tif 000012
【図１１】
2017181714.tif 000013
【図１２】
2017181714.tif 000014
【図１３】
2017181714.tif 000015
【図１４】
2017181714.tif 000016